(57)【要約】【課題】上部プレートを薄くできる鉄骨柱の建方構造、および短時間でできる建方工法を提供することである。【解決手段】鉄骨柱の建方構造１は、杭頭の端板８に設置された下部プレートの長孔１２にレベル調整兼用の連結ボルト６が移動自在に設置され、該連結ボルト６が上部プレートの長孔１３に挿入されて上部プレート５が移動自在に設置され、該上部プレート５に鉄骨柱２がボルト１５で固定され、該ボルト１５のうちの複数本がアンカーボルト１６となって下部プレート４にねじ込まれてなる。【選択図】　　図１
2004132120.tif 000002
【特許請求の範囲】
【請求項１】
杭頭の端板に設置された下部プレートの長孔にレベル調整兼用の連結ボルトが移動自在に設置され、該連結ボルトが上部プレートの長孔に挿入されて上部プレートが移動自在に設置され、該上部プレートに柱がボルトで固定され、該ボルトのうちの複数本がアンカーボルトとなって下部プレートにねじ込まれたことを特徴とする鉄骨柱の建方構造。
【請求項２】
下部プレートと上部プレートとがレベル調整兼用の連結ボルトで連結され、該連結ボルトを下部プレートと上部プレートの長孔に移動自在に挿入して軸芯調整ユニットを形成し、該軸芯調整ユニットの下部プレートを杭頭の端板に設置し、かつ回転させて杭芯の回転方向のズレを調整した後、下部プレートの長孔に沿って連結ボルトを移動させて柱芯と杭芯との一方向のズレと、該連結ボルトに対して上部プレートを移動させて柱芯と杭芯との他方向のズレとの調整と、該上部プレートのレベル調整とをした後、上部プレートに柱をボルトで固定し、該ボルトのうちの複数本をアンカーボルトとして下部プレートにねじ込むことを特徴とする鉄骨柱の建方工法。
【発明の詳細な説明】
【０００１】
【発明の属する技術分野】
本発明は鉄骨柱の建方構造およびその建方工法に関するものである。
【０００２】
【従来の技術】
従来、鉄骨柱の建方構造およびその建方工法としては、特願２００１−１２１０９１号が出願されている。この建方構造は上部スライド板に設置された鉄骨柱を４本のレベル調整兼用のボルトで支持していた。
一方、建方工法は柱芯と杭芯との回転方向およびＸＹ方向のズレを、上部スライド板および下部スライド板とを移動させて調整していた。
【０００３】
【発明が解決しようとする課題】
しかし、上記の建方工法は、上部荷重を４本のボルトのみで支持していたため、上部スライド板が厚くなっていた。また、建方工法においては柱芯と杭芯との回転方向およびＸＹ方向のズレを上下部のスライド板を移動させて調整していたため、かなりの時間を要していた。
【０００４】
本発明はこれらの問題に鑑みてなされたものであり、その目的は、上部プレートを薄くできる鉄骨柱の建方構造、および短時間でできる建方工法を提供することである。
【０００５】
【課題を解決するための手段】
以上の課題を解決するための鉄骨柱の建方構造の要旨は、杭頭の端板に設置された下部プレートの長孔にレベル調整兼用の連結ボルトが移動自在に設置され、該連結ボルトが上部プレートの長孔に挿入されて上部プレートが移動自在に設置され、該上部プレートに柱がボルトで固定され、該ボルトのうちの複数本がアンカーボルトとなって下部プレートにねじ込まれたことを特徴とする構成である。柱芯と杭芯との双方向のズレを連結ボルトと上部プレートとの移動で調整できるため、芯合わせが簡単にできる。また柱にかかる上部荷重を連結ボルトとアンカーボルトとで安定して支持できるため、上部プレートを薄くすることができる。
また鉄骨柱の建方工法の要旨は、下部プレートと上部プレートとがレベル調整兼用の連結ボルトで連結され、該連結ボルトを下部プレートと上部プレートの長孔に移動自在に挿入して軸芯調整ユニットを形成し、該軸芯調整ユニットの下部プレートを杭頭の端板に設置し、かつ回転させて杭芯の回転方向のズレを調整した後、下部プレートの長孔に沿って連結ボルトを移動させて柱芯と杭芯との一方向のズレと、該連結ボルトに対して上部プレートを移動させて柱芯と杭芯との他方向のズレとの調整と、該上部プレートのレベル調整とをした後、上部プレートに柱をボルトで固定し、該ボルトのうちの複数本をアンカーボルトとして下部プレートにねじ込むことを特徴とする構成である。
軸芯調整ユニットを杭頭の端板に設置した後すぐに第１節目の鉄骨柱を建て込むことができるので、建て込み時間を短縮できる。また柱芯と杭芯との双方向のズレを連結ボルトと上部プレートとの移動で調整できるため、芯合わせが簡単にできる。
【０００６】
【発明の実施の形態】
以下、本発明の鉄骨柱の建方構造および鉄骨柱の建方工法の実施の形態を図面に基づいて詳細に説明する。はじめに鉄骨柱の建方構造の実施の形態を説明し、その後に鉄骨柱の建方工法の実施の形態を説明するが、各実施の形態において同じ構成は同じ符号を付して説明し、異なる構成にのみ異なった符号を付して説明する。
【０００７】
図１および２は、鉄骨柱の建方構造１を示したものである。この鉄骨柱の建方構造１は鉄骨柱２が杭３に、下部プレート４と上部プレート５と連結ボルト６とからなる軸芯調整ユニット７を介して設置されたものである。この杭３はＰＨＣ杭（高強度の遠心力プレストレストコンクリート杭）であり、杭頭に端板８が設置され、この端板８に軸芯調整ユニット７の下部プレート４がボルト止めされている。この下部プレート４には湾曲状の長孔（ルーズホール）１１が開口され、この長孔１１によって下部プレート４を回転させて、杭芯の回転方向のずれを調整している。また下部プレート４の四隅のＹ方向に長い長孔１２にはレベル調整兼用の連結ボルト６が設置され、この連結ボルト６が上部プレート５の四隅のＸ方向に長い長孔１３に挿入されて、上部プレート５を移動自在にしている。
【０００８】
したがって、連結ボルト６を下部プレートの長孔１２に沿って移動させると、杭芯と柱芯とのＹ方向のズレを調整することができ、この移動させた連結ボルト６に対して上部プレート５を移動させると杭芯と柱芯とのＸ方向のズレを調整することができる。また連結ボルト６のレベル調整ナット１４により、上部プレート５のレベル調整が行われる。したがって、杭芯と柱芯とのＸＹ方向のズレを連結ボルト６と上部プレート５との移動のみによって調整することができる。
【０００９】
また上部プレート５には鉄骨柱２が８本のボルト１５で固定され、このボルトのうちの４本がアンカーボルト１６として下部プレート４の長ナット１７にねじ込まれて、連結ボルト６とともに上部荷重を支持している。なお、前記のアンカーボルト１６は８本のボルトの１本おきに設置されているが、８本全部をアンカーボルトにすることもできる。
【００１０】
次に、図３〜図７により鉄骨柱の建方工法の実施の形態について説明する。はじめに、図３に示すように、湾曲状の長孔１１と、Ｙ方向に長い長孔（四隅に位置した）１２とを備えた下部プレート４を架台１９の上に設置するとともに、四隅の長孔１２の端部にレベル調整兼用の連結ボルト６を設置してナット２０で固定する。そして、これらの連結ボルトのレベル調整ナット１４を一定のレベルに合わせる。
【００１１】
次に、図４に示すように、連結ボルト６を上部プレートの長孔１３に差し込んで、上部プレート５をナット２０で固定すると、軸芯調整ユニット７が地組される。そして、上部プレート５の芯ズレ方向にスプレーで印２１を付けておく。
【００１２】
次に、図５に示すように、地盤に打設された杭３の杭頭上に基準墨２２、２３の墨出しを行って杭芯のズレを確認するとともに、杭頭のレベルも確認する。また前記と同様にズレた方向にスプレーで印２１を付けておく。この杭３の杭頭には端板８が設置され、この端板８には定着孔９が開口されている。
【００１３】
次に、図６に示すように、軸芯調整ユニット７を端板８上に載せ、湾曲状の長孔１１に差し込んだボルト１０を定着孔９にねじ込んで仮止めする。このとき下部プレート４は回転できるので、下部プレートの墨２４、２５と杭の墨２２、２３とを平行にして杭芯の回転方向のズレを調整する。そして、連結ボルト６を長孔１２に沿って移動させて柱芯と杭芯のＹ方向のズレを調整する。次に、この連結ボルト６に対して上部プレート５を移動させて柱芯と杭芯のＸ方向のズレを調整するとともに、レベル調整ナット１４で上部プレート５のレベルを調整する。このように下部プレート４を固定した後は、連結ボルト６と上部プレート５との移動のみで柱芯と杭芯とのＸＹ方向のズレが簡単に補正できるとともに、レベル調整もレベル調整ナット１４で簡単に行える。
次に、上部プレート５をナット２０で連結ボルト６に固定するとともに、この連結ボルト６を本締め固定する。
【００１４】
次に、図７に示すように、柱芯と杭芯とのズレの調整と、レベルの調整とが行われた上部プレート５に第１節目の鉄骨柱２を８本のボルト１５で固定するとともに、このうちの４本のボルトをアンカーボルト１６として下部プレートの長ナット１７にねじ込むと、連結ボルト６とともに上部荷重を支持することができる。これは各ボルトの支点間距離を短くして、上部荷重の支持を安定させるものである。
【００１５】
そして、上記の第１節目の鉄骨柱５の設置と平行して、基礎躯体の構築を行い、その周囲を埋め戻す（図示せず）。このように本実施の形態においては、第１節目の鉄骨柱２の建方にいたるまでの工程を省略することができるので、建方開始までの時間を短縮することができる。
【００１６】
【発明の効果】
柱芯と杭芯との双方向のズレを連結ボルトと上部プレートとの移動で調整できるため、芯合わせが簡単にできる。
【００１７】
柱にかかる上部荷重を連結ボルトとアンカーボルトとで安定して支持できるため、上部プレートを薄くすることができる。
【００１８】
軸芯調整ユニットを杭頭の端板に設置した後すぐに第１節目の鉄骨柱を建て込むことができるので、建て込み時間を短縮できる。
【００１９】
鉄骨柱が杭頭にフーチング基礎を介さずに直接設置されているため、上部荷重を杭にスムーズに伝達させることができる。
【００２０】
第１節目の鉄骨柱の建方開始までの工程を省略することができ、建方開始までの時間を短縮することができる。
【００２１】
杭の打設後に、第１節目の鉄骨柱をすぐに建てることができるので、上部構造物を通常の工法よりも早く建てることができる。
【図面の簡単な説明】
【図１】（１）は鉄骨柱の建方構造の平面図、（２）は同正面図である。
【図２】鉄骨柱の建方構造の分解斜視図である。
【図３】（１）は架台に設置した下部プレートの平面図、（２）は同正面図である。
【図４】（１）は軸芯調整ユニットの平面図、（２）は同正面図である。
【図５】（１）は杭の平面図、（２）は同正面図である。
【図６】（１）は杭頭に軸芯調整ユニットを設置した平面図、（２）は同正面図である。
【図７】（１）は軸芯調整ユニットに第１節目の鉄骨柱を固定した平面図、（２）は同正面図である。
【符号の説明】
１　鉄骨柱の建方構造
２　鉄骨柱
３　杭
４　下部プレート
５　上部プレート
６　連結ボルト
７　軸芯調整ユニット
８　端板
９　定着孔
１０、１５　ボルト
１１、１２、１３　長孔
１４　レベル調整ナット
１６　アンカーボルト
１７　長ナット
１９　架台
２０　ナット
２１　印
２２、２３、２４、２５　基準墨
【図１】
2004132120.tif 000003
【図２】
2004132120.tif 000004
【図３】
2004132120.tif 000005
【図４】
2004132120.tif 000006
【図５】
2004132120.tif 000007
【図６】
2004132120.tif 000008
【図７】
2004132120.tif 000009